(57)【要約】  本開示は、メイクアップコンパクトとクライアントデバイスとを含む、自信に満ちた日々のメイクアップ適用のためのシステムに関する。システムは、完全なスタイルのために特定の顔の特徴または顔全体に適用され得る。クライアントデバイスは、メイクアップ適用のためのテンプレート化された指示を表示することによってインタラクティブなユーザー体験を提供するように構成される。テンプレート化された指示は、日々のメイクアップ適用に対する「ペイントバイナンバー」方式を提供する。メイクアップコンパクトは、クライアントデバイス筐体をさらに含み、クライアントデバイスは、メイクアップ適用及びコーチングの期間中ドッキングできる。クライアントデバイスの筐体は、クライアントデバイスとの触覚的な対話を可能にできる半透明ディスプレイによって保護カバーから分離される。したがって、半透明ディスプレイは、この向きで、逆投影面として機能し、クライアントデバイスからのテンプレート指示は、半透明ディスプレイに表示されるときにユーザーに伝達される。
2021509972.tif 000002
【特許請求の範囲】
【請求項１】
装置であって、
少なくとも一方側が反射性である半透明の表面と、
ディスプレイを有するクライアントデバイスを保持するように構成された支持体であって、それにより前記半透明の反射面が前記ディスプレイを覆い、前記ディスプレイ上に表示される視覚的なオブジェクトが前記半透明の表面の前記反射側で可視となることを可能にし、一方同時に前記反射側が前記反射側を見るユーザーの映像を示す前記支持体と
を備える、前記装置。
【請求項２】
前記支持体が前記クライアントデバイス用の筐体である、請求項１に記載の装置。
【請求項３】
前記筐体が、前記クライアントデバイスを収容するための所定の深さである、請求項２に記載の装置。
【請求項４】
前記半透明の表面が前記クライアントデバイス筐体の壁を形成する、請求項２に記載の装置。
【請求項５】
前記半透明の表面が、前記クライアントデバイスとユーザーとの間に配置される、請求項１に記載の装置。
【請求項６】
少なくとも１つの化粧品材料を保持するための区画をさらに備える、請求項１に記載の装置。
【請求項７】
前記区画がカラーパレットである、請求項６に記載の装置。
【請求項８】
前記区画が可撓性ヒンジで前記支持体に接続されるように構成され、それにより前記装置が前記可撓性ヒンジを介して開閉し、前記開放位置で、前記半透明の表面及び前記化粧品材料が目に見える、請求項６に記載の装置。
【請求項９】
前記クライアントデバイスが存在しない場合、または前記クライアントデバイスの前記ディスプレイが発光していないときに、半透明の表面が標準的な鏡として機能する、請求項１に記載の装置。
【請求項１０】
前記半透明の表面が、触覚ユーザーコマンドの前記クライアントデバイスへの伝達を実行できるように製作される、請求項１に記載の装置。
【請求項１１】
前記半透明の表面の厚さ全体に配置された１つ以上のボタンにより、ユーザーと前記クライアントデバイス上の入力領域との直接的な対話が可能になる、請求項１に記載の装置。
【請求項１２】
システムであって、
ユーザーが表面に向いているときに、前記ユーザーの顔を前記ユーザーに示すように構成された前記表面と、
ユーザーの特性を検知し、検知した特性に応えてクライアントデバイスの出力を修正するように構成された処理回路を有する前記クライアントデバイスと
を備える、前記システム。
【請求項１３】
前記表面が、少なくとも一方側が反射性である半透明の表面であり、前記半透明の反射面が前記クライアントデバイスのディスプレイを覆い、前記ディスプレイ上に表示される視覚的なオブジェクトが前記半透明の表面の前記反射側で可視となることを可能にし、一方同時に前記反射側が前記反射側を見るユーザーの映像を示す、請求項１２に記載のシステム。
【請求項１４】
前記クライアントデバイスが、近接センサ、赤外線投光イルミネータ、赤外線カメラ、可視光投光イルミネータ、可視光カメラ、ドットプロジェクタ、またはその組み合わせを含むセンサをさらに備える、請求項１２に記載のシステム。
【請求項１５】
前記ユーザーの前記検知した特性が、前記ユーザーの空間的な特性、前記ユーザーの身体的な特性、前記ユーザーの時間的な特性、またはその組み合わせである、請求項１２に記載のシステム。
【請求項１６】
前記ユーザーの前記身体的特性が、顔の特徴、皮膚の色、皮膚の色調、またはその組み合わせである、請求項１５に記載のシステム。
【請求項１７】
前記クライアントデバイスが、所望の結果に関して前記ユーザーから入力情報を受け取り、前記所望の結果を達成するために前記メイクアップコンパクトを使用する方法に関するガイダンス情報を出力するようにさらに構成される、請求項１２に記載のシステム。
【請求項１８】
前記ユーザーからの前記入力情報が、データベースからの画像の選択である、請求項１７に記載のシステム。
【請求項１９】
前記ユーザーからの前記入力情報が、前記クライアントデバイスからのプロンプトに応答し、前記クライアントデバイスが、リモートユーザープロファイルと無線通信するようにさらに構成される、請求項１７に記載のシステム。
【請求項２０】
前記ユーザーからの前記入力情報が、前記所望の結果の拡張現実に対するユーザーの評価に基づいている、請求項１７に記載のシステム。
【請求項２１】
前記出力ガイダンス情報が、前記所望の結果を達成するために前記メイクアップコンパクトを使用することに関係する画像データ、ビデオデータ、音声データ、触覚データ、またはその組み合わせである、請求項１７に記載のシステム。
【請求項２２】
前記出力ガイダンス情報が、前記システムの使用の単一の連続セッション、前記システムの使用の複数のセッション、またはその組み合わせについて検知した特性に基づいている、請求項１７に記載のシステム。
【請求項２３】
ユーザーが表面を向いているときに前記ユーザーの顔を前記ユーザーに示すように構成された前記表面と、クライアントデバイスとを含むシステムによって実装される方法であって、
前記クライアントデバイスにより、ユーザーの特性を検知することと、
前記検知した特性に応えて前記クライアントデバイスの出力を修正することと
を含む、前記方法。
【請求項２４】
前記表面が、少なくとも一方側が反射性である半透明の表面であり、前記半透明の反射面が前記クライアントデバイスのディスプレイを覆い、前記ディスプレイ上に表示される視覚的なオブジェクトが前記半透明の表面の前記反射側で可視となることを可能にし、一方同時に前記反射側が前記反射側を見るユーザーの映像を示す、請求項２３に記載の方法。
【請求項２５】
前記クライアントデバイスが、近接センサ、赤外線投光イルミネータ、赤外線カメラ、可視光投光イルミネータ、可視光カメラ、ドットプロジェクタ、またはその組み合わせを含むセンサをさらに備える、請求項２３に記載の方法。
【請求項２６】
前記ユーザーの前記検知した特性が、前記ユーザーの空間的な特性、前記ユーザーの身体的な特性、前記ユーザーの時間的な特性、またはその組み合わせである、請求項２３に記載の方法。
【請求項２７】
前記ユーザーの前記身体的特性が、顔の特徴、皮膚の色、皮膚の色調、またはその組み合わせである、請求項２６に記載の方法。
【請求項２８】
前記クライアントデバイスにより、所望の結果に関して前記ユーザーから入力情報を受け取ることと、前記所望の結果を達成するために前記メイクアップコンパクトを使用する方法に関するガイダンス情報を出力することとをさらに含む、請求項２３に記載の方法。
【請求項２９】
前記ユーザーからの前記入力情報が、データベースからの画像の選択である、請求項２８に記載の方法。
【請求項３０】
前記ユーザーからの前記入力情報が、前記クライアントデバイスからのプロンプトに応答し、前記クライアントデバイスが、リモートユーザープロファイルと無線通信する、請求項２８に記載の方法。
【請求項３１】
前記ユーザーからの前記入力情報が、前記所望の結果の拡張現実に対するユーザーの評価に基づいている、請求項２８に記載の方法。
【請求項３２】
前記出力ガイダンス情報が、前記所望の結果を達成するために前記メイクアップコンパクトを使用することに関係する画像データ、ビデオデータ、音声データ、触覚データ、またはその組み合わせである、請求項２８に記載の方法。
【請求項３３】
前記出力ガイダンス情報が、前記システムの使用の単一の連続セッション、前記システムの使用の複数のセッション、またはその組み合わせについて検知した特性に基づいている、請求項２８に記載の方法。
【発明の詳細な説明】
【技術分野】
【０００１】
関連出願の相互参照
本出願は、ともに２０１８年１月５日に出願され、そのそれぞれの内容全体が参照により本明細書に援用される、米国出願第１５／８６３，３４３号及び米国出願第１５／８６３，３００号に関連し、その利益を主張する。
【０００２】
本開示は、「ペイントバイナンバー」方式でコーチングと利便性とを組み合わせたメイクの適用体験を提供するシステムに関する。
【背景技術】
【０００３】
関連技術の説明
消費者は有名人の見た目を再現することを切望するが、正式なトレーニングを欠いていることから、多くの場合、試行し得る複雑な美容技術は制限される。多くの、特に美容愛好家にとって、ビデオチュートリアルは、見た目を発見して学ぶための利用しやすく、役に立つ方法である。しかしながら、この体験は、時間が限られ、効率が最優先となる日常生活に容易に変換されない。そこでの退屈さは、消費者に、日常生活で新しいスタイルの効率的で自信に満ちたメイクアップの適用のための選択肢をほとんど残さない。この目的のために、複雑なテクニックを日常の使用に適用することを可能にする、携帯用のユーザーフレンドリなメイクアップ適用システムはまだ開発されていない。
【０００４】
上述の「背景技術」の説明は、本開示の状況を概して提示するためである。この背景技術の項で説明されている範囲での発明者の研究、及び出願時にそれ以外の場合先行技術としての資格を与えられていない場合がある説明の態様は、本発明に対する先行技術として明示的にも黙示的にも認められていない。
【発明の概要】
【課題を解決するための手段】
【０００５】
本開示は、反射性である半透明の表面と、ディスプレイを有するクライアントデバイスを保持するように構成された支持体とを含む、自信に満ちた日々のメイクアップ適用のための装置に関する。支持体は、半透明の反射面がディスプレイを覆い、ディスプレイに表示される視覚オブジェクトが半透明の表面の反射側で可視となることを可能にし、一方同時に反射側が反射側を見るユーザーの映像を示すようにさらに構成される。
【０００６】
一実施形態によれば、支持体は、デバイスを収容するための所定の深さを有するクライアントデバイス用の筐体であり、半透明の表面がクライアントデバイスとユーザーとの間に配置される。
【０００７】
一実施形態によれば、装置は、化粧品材料を保持するための少なくとも１つの区画をさらに含む。一実施形態では、装置は、化粧品材料のカラーパレットを含む。
【０００８】
一実施形態によれば、化粧品材料を保持するための区画は、可撓性ヒンジで支持体に接続され、開放位置で、半透明の表面及び化粧品材料が目に見える。
【０００９】
一実施形態によれば、半透明の表面は、クライアントデバイスがない場合、標準的な鏡として機能する。一実施形態では、半透明の表面は、触覚ユーザーコマンドのクライアントデバイスへの伝達を実行できるように製作される。さらに、ユーザーとクライアントデバイス上の入力領域との直接的な対話を可能にするために、半透明の表面の厚さ全体に１つ以上のボタンを配置できる。
【００１０】
本開示はさらに、半透明の表面と、ユーザーの特性を検知し、検知した特性に応えてクライアントデバイスの出力を修正するように構成された処理回路を有するクライアントデバイスとを含む、自信に満ちた日々のメイクアップ適用のためのシステム、及びその方法に関する。
【００１１】
一実施形態によれば、検知した特性は、空間的、身体的、または時間的な特性であり、顔の特徴、皮膚の色、及び皮膚の色調を含む。
【００１２】
一実施形態によれば、クライアントデバイスは、メイクアップ適用のためのビデオチュートリアル及びテンプレート化された指示を表示することによってインタラクティブなユーザー体験を提供するように構成される。テンプレート化された指示は、クライアントデバイスベースのソフトウェアを介してユーザーの好み及び／または助言によってユーザーのスタイル選択に従って生成される。テンプレート化された指示は、日々のメイクアップ適用に対する「ペイントバイナンバー」方式を提供する。
【００１３】
一実施形態によれば、半透明の表面は、少なくとも一方の面で反射性であり、クライアントデバイスのディスプレイを覆い、ユーザーが投影された画像と反射された画像とを同時に観察できるようにする。
【００１４】
一実施形態によれば、クライアントデバイスは、所望のメイクアップの結果に関してユーザーから入力情報を受け取り、所望の結果を達成するための方法に関するガイダンス情報を出力するように構成される。
【００１５】
一実施形態によれば、ユーザーからの入力情報は、所望の見た目が視覚化される拡張現実に対するユーザーの評価に基づいている。
【００１６】
一実施形態によれば、出力ガイダンス情報は画像データ、ビデオデータ、音声データ、または触覚データであり、単一のセッションからまたは複数のセッションからの履歴データから検知した特性との関連で提供される。
【００１７】
一実施形態によれば、クライアントデバイスベースのソフトウェアは、ユーザーのコンパクトメイクアップパレットを登録し、利用可能なメイクアップを助言及びスタイル選択に統合するように構成される。
【００１８】
上述の段落は、一般的な紹介として提供されており、以下の特許請求の範囲を限定することを目的としていない。説明されている実施形態は、追加の優位点とともに、添付図面と併せて解釈される以下の発明を実施するための形態を参照することにより最もよく理解される。
【００１９】
本開示及びそれに付随する優位点の多くは添付図面と関連して検討されるときに、以下の発明を実施するための形態を参照することによってより良く理解されるようになるので、本開示及びそれに付随する優位点の多くは、容易に完全に理解されるようになる。
【図面の簡単な説明】
【００２０】
【図１】クライアントデバイス及びメイクアップコンパクトを含む、消費者環境における本開示のシステムの例示的な図である。
【図２Ａ】本開示のメイクアップコンパクトの例示的な図である。
【図２Ｂ】メイクアップコンパクト及びクライアントデバイス、ならびに保護カバーからクライアントデバイスを備えた対話型半透明ディスプレイに進む段階的な概略図の一態様である。
【図２Ｃ】メイクアップコンパクト及びクライアントデバイス、ならびに保護カバーからクライアントデバイスを備えた対話型半透明ディスプレイに進む段階的な概略図の一態様である。
【図２Ｄ】メイクアップコンパクト及びクライアントデバイス、ならびに保護カバーからクライアントデバイスを備えた対話型半透明ディスプレイに進む段階的な概略図の一態様である。
【図３Ａ】クライアントデバイスの例示的な実施形態である。
【図３Ｂ】例示的な実施形態による、クライアントデバイスベースのセンサの概略図である。
【図４Ａ】例示的な実施形態による、コーチングモジュール中のセンサ入力の検知及び評価のフローチャートである。
【図４Ｂ】例示的な実施形態による検知及び評価のサブフローチャートである。
【図４Ｃ】例示的な実施形態による検知及び評価のサブフローチャートである。
【図４Ｄ】例示的な実施形態による検知及び評価のサブフローチャートである。
【図４Ｅ】例示的な実施形態による検知及び評価のサブフローチャートである。
【図５】例示的な実施形態による、コーチングセッション中のユーザー体験のフローチャートである。
【図６Ａ】例示的な実施形態による、コーチングセッションのオンボード（ｏｎｂｏａｒｄｉｎｇ）部分の間のユーザー体験のフローチャートの図である。
【図６Ｂ】例示的な実施形態による、コーチングセッションのメイクアップ適用モジュール中のユーザー体験のフローチャートの図である。
【図７】例示的な実施形態による、クライアントデバイスと、外部サーバ及びインターネットを含むクラウドベースのコンピューティングシステムとの関係を示す。
【図８】メイクアップコンパクトが、外出先での使用及び修正を目的とした単一化粧品のメイクアップコンパクトである本開示の例示的な実施形態によるシステムの図である。
【発明を実施するための形態】
【００２１】
本明細書で使用される用語「ａ」または「ａｎ」は、１つまたは２つ以上として定義される。本明細書で使用される用語「複数」は、２つまたは２つ以上として定義される。本明細書で使用される用語「別の」は、少なくとも１つの２番目以上として定義される。本明細書で使用される用語「含む（ｉｎｃｌｕｄｉｎｇ）」及び／または「有する（ｈａｖｉｎｇ）」は、含む（ｃｏｍｐｒｉｓｉｎｇ）（すなわち、オープンランゲージ）として定義される。「一実施形態（ｏｎｅ  ｅｍｂｏｄｉｍｅｎｔ）」、「特定の実施形態（ｃｅｒｔａｉｎ  ｅｍｂｏｄｉｍｅｎｔｓ）」、「一実施形態（ａｎ  ｅｍｂｏｄｉｍｅｎｔ）」、「実施態様」、「実施例」、または類似の用語に対する本明細書全体での言及は、実施形態に関連して記載される特定の特徴、構造、または特性が、本開示の少なくとも１つの実施形態に含まれることを意味する。したがって、本明細書全体の多様な場所でこのような表現が出現しても、必ずしもすべてが同じ実施形態を言及しているわけではない。さらに、特定の特徴、構造、または特性は、制限なく１つ以上の実施形態で任意の適切な方法で結合されてよい。
【００２２】
本開示は、ユーザーが自信をもって新しいメイクアップスタイルを採用できるようにする携帯用のユーザーフレンドリな日々のメイクアップ適用システムの必要性に応える。メイクアップコンパクトを、クライアントデバイスベースのソフトウェアを含むクライアントデバイス、及びペイントバイナンバー方式と統合することによって、本開示は、消費者に、新しい技術の日々の実験及び習得のための自信に満ちた便利な体験を提供する。本明細書に説明するシステムは、以下を達成することを目的とする。
−クライアントデバイスベースのセンサを使用し、ユーザーの顔の特徴、色、及び色調を取り込むことによって個人向けに変更したユーザー体験を提供する。
−利用可能なカラーパレットに従って、学習可能な技術及びスタイルのカタログを提示する。
−ユーザー向けのコーチングモジュールを介したユーザー実験を可能にする。
−教育ユニットの進行の音声コマンドを有効にすることによって、クライアントデバイスとの触覚的な対話を制限する。
−クライアントデバイスベースのセンサから受け取られ、処理されたデータに従ったフィードバック及びコーチングを通してユーザーの技術習熟を向上させる。
−ユーザーのソーシャルメディアプレゼンスと統合することにより、新しい見た目を発見するようにユーザーを励ます。
【００２３】
図１は、消費者環境における本開示のシステムの例示的な図である。システム１００は、クライアントデバイス１１５及びメイクアップコンパクト１１０を含む。半透明ディスプレイ１０５は、メイクアップコンパクト１１０の上に配置され、クライアントデバイス１１５とメイクアップコンパクトカラーパレット１１１との間に間仕切りを作成する。一実施形態では、クライアントデバイス１１５は、視野内のオブジェクトのさまざまな特性を取り込むためのセンサの集合体を備えたスマートフォンである。メイクアップコンパクト１１０は、ユーザーが所望するカラーパレット１１１に従って１つ以上の化粧品を含む場合がある。ユーザーが利用可能なメイクアップのタイプは、ユーザーに対する潜在的なスタイルの助言を改善するためにクライアントデバイスベースのソフトウェアに登録される。
【００２４】
図２Ａは、本開示のメイクアップコンパクトの例示的な図である。メイクアップコンパクト２１０は、１つ以上の化粧品を含むカラーパレット２１１を含む。所望されるとき、メイクアップコンパクト２１０は、標準的な実施形態で鏡として機能し、メイクアップコンパクトの上蓋２１３及び保護カバー２０１が持ち上げられ、半透明ディスプレイ２０５がユーザーに提示される。一実施形態では、半透明ディスプレイ２０５は一方向鏡である。クライアントデバイス筐体２１６内に発光するクライアントデバイスがない場合、半透明ディスプレイ２０５は、ユーザーの視点からすれば標準的な鏡として機能する。クライアントデバイスの対話型ユーザーインタフェースを実装するために、クライアントデバイスは、コーチングモジュールが起動された状態でクライアントデバイス筐体２１６内に配置される。ユーザーの視点からすれば、ユーザーの鏡像とクライアントデバイスにより生成されたオブジェクトの両方とも、半透明ディスプレイ２０５を通して同時に見えるようになる。メイクアップコンパクト２１０の上蓋２１３と半透明ディスプレイ２０５との間の距離は、クライアントデバイスの寸法に従って事前に決定される。一実施形態では、クライアントデバイスは、Ａｐｐｌｅ  ｉＰｈｏｎｅ（登録商標）を代表例とするスマートフォンである。
【００２５】
図２Ｂ、図２Ｃ、及び図２Ｄは、メイクアップコンパクト２１０及びクライアントデバイス、ならびに保護カバーからクライアントデバイスを備えた対話型半透明ディスプレイに進む段階的な概略図である。図２Ｂでは、メイクアップコンパクト２１０は閉じられた位置にあり、保護カバー２０１及び半透明ディスプレイ２０５は、メイクアップコンパクト２１０の本体２１４に接して位置している。可撓性ヒンジ２１２は、メイクアップコンパクト２１０の上蓋２１３をメイクアップコンパクト２１０の本体２１４に接続する。図２Ｃでは、ユーザーはメイクアップコンパクトの上蓋２１３を持ち上げ、保護カバー２０１をユーザーに露出させる。メイクアップコンパクトの上蓋２１３は、可撓性ヒンジ２１２の回りで回転される。保護カバー２０１は、次いで可撓性ヒンジ２０９の回りで回転され、半透明ディスプレイ２０５がユーザーに露出される。半透明ディスプレイ２０６の機能性は、光源がクライアントデバイス筐体２１６の中に存在するときにだけ実現されるため、半透明ディスプレイ２０５は、クライアントデバイス筐体２１６内にクライアントデバイス２１５がない場合に標準的な鏡として機能するように設計される。クライアントデバイスがない場合、ユーザーは半透明ディスプレイ２０５を、メイクアップカラーパレット２１１と連結し、標準的な鏡として使用できる。インタラクティブなユーザー体験が所望されるとき、クライアントデバイスは、図２Ｄに記載するように、クライアントデバイス筐体２１６内に配置できる。クライアントデバイス２１５は、半透明ディスプレイ２０５とメイクアップコンパクトの上蓋２１３との間に配置されたクライアントデバイス筐体２１６の中に挿入される。一実施形態では、クライアントデバイス筐体２１６は、Ａｐｐｌｅ  ｉＰｈｏｎｅ（登録商標）などのクライアントデバイス２１５の特定の設計に対応するために所定の深さで構築される。追加の実施形態によれば、クライアントデバイス筐体２１６は、クライアントデバイス２１５のユニバーサルデザインに対応するための、既知の深さである所定の深さで構築され、クライアントデバイスベースのソフトウェア内で統合されて半透明ディスプレイ２０５のディスプレイ表面２０６上で適切な表示オブジェクトを生成する。
【００２６】
一実施形態では、半透明ディスプレイ２０５は、触覚ユーザーコマンドのクライアントデバイスベースのソフトウェアへの伝達を実行できるように製作される。触覚入力検出の例は、抵抗容量性赤外線グリッド、表面弾性波、及び音響パルス認識を含むが、これに限定されるものではなく、ユーザーコマンドを受け取るためにクライアントデバイスベースのソフトウェア内で統合されてよい。
【００２７】
一実施形態によれば、保護画面状のタッチセンシティブフィルムが、クライアントデバイス２１５と半透明ディスプレイ２０５との間の触覚検知を可能にする。
【００２８】
別の実施形態では、半透明ディスプレイ２０５の厚さ全体に配置された１つ以上のボタンが、ユーザーとクライアントデバイス２１５との直接的な対話を可能にする。
【００２９】
別の実施形態では、クライアントデバイスベースのセンサは、手ぶりまたは音声コマンドを含むが、これに限定されるものではないユーザーからのコマンドを検出できる。
【００３０】
図３Ａは、クライアントデバイスの例示的な実施形態である。一実施形態によれば、クライアントデバイス３１５は、標準的と見なされるスマートフォンの特徴（例えば、マイク、スピーカ）に加えて、Ａｐｐｌｅ  ｉＰｈｏｎｅ（登録商標）を代表例とする種類の前向きセンサ３２３を含むスマートフォンである。図３Ｂは、例示的な実施形態による、これらのクライアントデバイスベースのセンサの概略図である。クライアントデバイス３１５の前向きセンサ３２３は、赤外線カメラ３１７、赤外線投光イルミネータ３１８、近接センサ３２２、ドットプロジェクタ３１９、可視光カメラ３２０、及び可視光投光イルミネータ３２１を含んでよいが、これに限定されるものではない。上述の前向きセンサ３２３の組み合わせは、ユーザーの顔の特徴、皮膚の色、及び色調の現実的な３次元モデルの取り込み及び再現を可能にする。このような深さに依存する顔のデジタル化は、参照により本明細書に援用されるＵＳ９５８２８８９Ｂ２により証明されるように、当技術分野で理解されている。一実施形態では、顔の特徴の認識は、可視光カメラから取得された２次元画像のデジタル再構築により実行される。
【００３１】
図４Ａは、例示的な実施形態による、コーチングモジュール中のセンサ入力の検知及び評価のフローチャートである。所望の見た目のユーザー選択に続いて、クライアントデバイスは、メイクアップコンパクトのクライアントデバイス筐体内に、ユーザーにクライアントデバイスを水平に配置するように促す。クライアントデバイスベースのソフトウェアは、クライアントデバイスベースのセンサ（例えば、近接センサ）を利用し、クライアントデバイス筐体内にクライアントデバイスが存在すると判断し、クライアントデバイスが定位置にあると、教育ユニットを始動するＳ４４０。ユーザーに対する教育ユニットのテンプレート化された形状の正確な表示投影を提供するために、クライアントデバイスベースのセンサがさらに利用されてユーザーのリアルタイムレンダリングの位置を突き止め、取り込み、デジタル化するＳ４４１。これらのデータはユーザーが選択したエクササイズと統合されて、半透明ディスプレイの表面を照明する表示投影を生成し、このようにして半透明ディスプレイを介して空間的に正確なテンプレート化された形状をユーザーに示す。
【００３２】
一実施形態では、表示投影は、ユーザーの映像に似て見えるように生成される。クライアントデバイスベースのソフトウェアは、半透明ディスプレイに対するユーザーの位置を決定するために、ユーザーの奥行き、位置、及び向きに関係するデータをクライアントデバイスベースのセンサから受け取る。この関係は、クライアントデバイスと半透明ディスプレイとの間の所定の距離との関連で半透明ディスプレイ上への鏡のような映像のレンダリングを可能にする。この関係を理解すると、ユーザーが右に移動すると、画像を左に平行移動させる、またはユーザーが半透明ディスプレイのより近くに移動すると、画像をより大きく拡大するなど、ユーザーの移動に反応できるようになる。
【００３３】
ユーザーがメイクアップをすると、クライアントデバイスは、ユーザーの位置、向き、移動、及び顔の特徴をアクティブに監視するＳ４４２。クライアントデバイスベースのソフトウェアにより制御されるクライアントデバイスベースのセンサは、ユーザーの顔の特徴、ユーザーの頭の向き、ユーザーの奥行き、ユーザーの動き、ユーザーの速度、ならびに色及び色調を含むが、これに限定されるものではないデータを生成し、取得したデータをローカルストレージ、クラウドベースストレージ、またはその組み合わせに記憶する。記憶されたデータは、以前のインスタンスに比べてテンプレート化された形状の空間的な投影を改善するために、追加の画像の表示投影中にアクセスされるＳ４４３。この目的のために、相対的なユーザーの位置及び向きに関係するデータを含む記憶されたデータが、ユーザーの将来の位置及び向きを予測するために使用され、そのため表示投影の調整がより直感的となり、テンプレート化された形状がユーザーの輪郭及び移動に追従できるようになるＳ４４４。例えば、最初に、ユーザーは顔の右側にメイクアップを適用し、クライアントデバイスは、相応してテンプレート化された形状を半透明ディスプレイに投影している。ユーザーが顔の部分をより容易に見るために頭を移動させると、クライアントデバイスベースのソフトウェアは移動を認識し、相応して表示投影を調整する。しかしながら、クライアントデバイスベースのソフトウェアが表示投影を生成すると、レンダリングに遅延が生じる。その後の使用により、クライアントデバイスベースのソフトウェアは、類似した動きの将来のインスタンス中に呼び出すことができる以前のユーザーの動きのライブラリを生成する。このようにして、特定の動きのインスタンスの数及び記憶されたデータが増加すると、クライアントデバイスベースのソフトウェアは、移動が発生している速度及び方向をよりよく予測できるようになり、このようにして表示投影生成の遅延時間を排除する。
【００３４】
ユーザーが教育ユニットを完了すると、ユーザーは、動きが完了したことを示す可聴コマンド、視覚コマンド、触覚コマンド、またはその組み合わせを提供し、その時点で、コーチングモジュールを完了するために追加の教育ユニットが必要とされるかどうかの決定が行われるＳ４４５。追加の教育ユニットが必要とされる場合、クライアントデバイスベースのソフトウェアは、次の教育ユニットのテンプレート化された形状の指示及び表示投影Ｓ４４２に進む。コーチングモジュールが完了している場合、クライアントデバイスベースのソフトウェアは完了に進むＳ４４６。
【００３５】
一実施形態によれば、クライアントデバイスベースのセンサから生成され、ローカルストレージ、クラウドベースストレージ、またはその組み合わせに記憶されたデータは、特定の教育ユニットとの関連でユーザーの動きの予測を向上させ、それによって表示投影の精度を改善するために将来のコーチングモジュールで利用されてよい。
【００３６】
一実施形態によれば、クライアントデバイスベースのセンサから生成され、ローカルストレージ、クラウドベースストレージ、またはその組み合わせに記憶されたデータは、視覚コマンド、可聴コマンド、触覚コマンド、またはその組み合わせの形でユーザーパフォーマンスに関してユーザーにリアルタイムフィードバックを提供するために利用されてよい。
【００３７】
一実施形態によれば、メイクアップ適用の前、最中、及び後のユーザーの時間−粗画像は、ユーザーパフォーマンスを評価するために使用される。
【００３８】
別の実施形態では、適用された技術の所望の結果に関するユーザーパフォーマンスは、将来の指示に組み込まれる。例えば、ユーザーが両目にアイメイクアップ技術を適用することを選択するが、第１の目で所望の結果を達成することができない場合、クライアントデバイスベースのセンサ及びソフトウェアは、相違を認識し、ユーザーの顔全体での対称性を確実にするために、第２の目を対象とした指示を修正する。
【００３９】
図４Ｂは、例示的な実施形態による、コーチングモジュールの初期化のサブフローチャートである。最初に、近接センサを含むクライアントデバイスベースのセンサは、コーチングモジュールの選択に従ってユーザーにより作動されるＳ４５５。次に、ユーザーは、クライアントデバイスをクライアントデバイス筐体の中に入れるように指示されるＳ４５６。クライアントデバイス内に収容された近接センサは、クライアントデバイス筐体の存在を検出し、コーチングモジュールを始めるために、クライアントデバイスベースのソフトウェアに信号を送信するＳ４５７。一実施形態では、クライアントデバイス及びクライアントデバイス筐体は、無線識別タグをさらに含む。近距離無線通信デバイスを含むが、これに限定されるものではないこれらの無線識別タグは、ユーザーのオンボード体験を促進させ、利用可能なメイクアップパレットを瞬時に識別する一意のメイクアップコンパクト識別子を提供する。
【００４０】
図４Ｃは、例示的な実施形態による、クライアントデバイスによる検知データの受け取り及び出力のサブフローチャートである。最初に、クライアントデバイスベースのソフトウェアは、クライアントデバイスベースのセンサから検知データを受け取りＳ４５８、データをローカルベース及びクラウドベースのストレージに記憶するＳ４５８’。次に、検知データは、クライアントデバイスベースのソフトウェアにより処理されＳ４５９、処理されたデータは、ローカルベース及びクラウドベースのストレージに記憶されるＳ４５９’。処理されたデータは、次いでクライアントデバイスベースのソフトウェアにより分析されＳ４６０、クライアントデバイス出力に対する調整が必要であるかどうかが判断されるＳ４６１。調整が必要とされる場合、クライアントデバイスベースのソフトウェアは、相応してクライアントデバイス出力を修正するＳ４６２。それ以外の場合、送信された検知データの受動的な評価が続行する。例えば、クライアントデバイスベースのソフトウェアは、クライアントデバイスベースのセンサから半透明ディスプレイに対するユーザーの位置に関係する検知データを受け取りＳ４５８、検知データをローカルベース及びクラウドベースのストレージに記憶するＳ４５８’。検知データは、次いでクライアントデバイスベースのソフトウェアにより処理されＳ４５９、ローカルベース及びクラウドベースのストレージに記憶されるＳ４５９’。処理されたデータは、次いで半透明ディスプレイに対するユーザーの位置が変化したかどうかを判断するためにＳ４６１、クライアントデバイスベースのソフトウェアにより分析されるＳ４６０。相対位置が変化したと判断される場合、クライアントデバイスベースのソフトウェアは、相応して表示投影を修正するＳ４６２。半透明ディスプレイに対するユーザーの相対位置が変化していない場合、送信された検知データの受動的評価が続行する。
【００４１】
図４Ｄは、例示的な実施形態による、クライアントデバイスベースのソフトウェアによる出力のサブフローチャートである。検知データの検知、送信、及び評価に続いて、クライアントデバイスベースのソフトウェアは、クライアントデバイスの出力を修正することが適切と判断する場合がありＳ４６３、クライアントデバイスの出力はビデオデータ及び音声データを含む。例えば、ユーザーがコーチングモジュールを実行し、クライアントデバイスベースのソフトウェアが検知データを受け取ると、ユーザーのパフォーマンスに関してユーザーに視覚的なフィードバックを提供することが適切な場合があり、フィードバックは、メイクアップ適用の自己評価を可能にするＳ４６４。このタイプのフィードバックは、所望される結果及びユーザーの結果の並列比較を含んでよい。
【００４２】
図４Ｅは、例示的な実施形態による、クライアントデバイスベースのソフトウェアによる出力のサブフローチャートである。検知データの検知、送信、及び評価に続いて、クライアントデバイスベースのソフトウェアは、クライアントデバイスの出力を修正することが適切と判断する場合がありＳ４６７、クライアントデバイスの出力はビデオデータ及び音声データを含む。ユーザーがコーチングモジュールを実行し、クライアントデバイスが検知データを受け取ると、ユーザーのパフォーマンスに関してユーザーにフィードバックを提供することが適切な場合がある。一実施形態では、クライアントデバイスは、特定の技術について、検知データの以前のインスタンスまたは検知データのグローバル平均に比した検知データの評価に基づいてコーチング提案を提供するＳ４６８。例えば、クライアントデバイスベースのセンサデータは、ユーザーの頭の動きが、メイクアップ適用中過度に活動的になる場合があることを示す。ユーザーについて検知データのグローバル平均または過去のインスタンスに比較して、クライアントデバイスベースのソフトウェアは、投影されたテンプレートに比較して不十分なメイクアップパフォーマンスを、過度に活動的な頭の動きと相互に関連付ける。次に、クライアントデバイスは、ビデオ出力及び音声出力を介してユーザーにサポートフィードバックを提供し、将来のユーザーパフォーマンスを改善するための解決策を推奨するＳ４６９。
【００４３】
図５は、例示的な実施形態による、コーチングセッション中のユーザー体験のフローチャートである。ユーザーがオンボード中Ｓ５３０、クライアントデバイスベースのセンサは、ユーザーの顔の特徴、色、及び色調の３次元デジタル化を実行するＳ５３１ために使用される。クライアントデバイスベースのソフトウェアは、次いで周囲光に従って画像及び色の投影を較正するために調整する。次に、ユーザーは自宅で利用可能なコンパクトカラーパレットを選択しＳ５３２、クライアントデバイスベースのソフトウェア内でこの情報を識別及び登録し、それによって利用可能なカラーパレットに従って可能なコーチングモジュールの範囲を定める。一実施形態では、クライアントデバイスベースのソフトウェアはさらに、顔の特徴、色、及び色調に関して収集されたデータをさらに利用してユーザーに最も適したカラーパレットを推奨できる。この収集されたデータは、カラーパレットの一致を識別することを目的とした一連のライフスタイルの質問をさらに含むことがあり得る。ユーザーが、各トレーニングセッションで利用可能な同じメイクアップコンパクト及びカラーパレットを有する場合、ユーザープロファイルの作成は１回限りのイベントとなる。
【００４４】
ユーザープロファイルが作成され、メイクアップコンパクトが識別及び登録されると、毎日のコーチングを開始してよいＳ５３３。最初に、ユーザーはメイクアップコーチングモジュールを選択するＳ５３４。例えば、ユーザーは特定のスタイルまたは関心のある見た目を選択してよい。代わりに、クライアントデバイスベースのソフトウェアは、ユーザーを引き立たせる、機会に基づいたインスピレーションをインテリジェントに提供する。
【００４５】
一実施形態では、クライアントデバイスベースのソフトウェアは、毎日のオフィス、初めてのデート、映画の夜、及び高級料理店を含むが、これに限定されるものではないさまざまなスタイルを提供してよい。機会ごとに、スタイルまたは見た目がユーザーに提供される。この目的のために、クライアントデバイスソフトウェアは、ユーザーのソーシャルメディアプレゼンスの中に示された好みに基づいて、ユーザーにとって関心のあるスタイルをよりうまく通知及び予測するために、ユーザーのユーザープロファイルと関連付けられたソーシャルメディアコンテンツを組み込んでもよい。
【００４６】
別の実施形態では、拡張現実機能により、ユーザーは、見た目を選択する前に見た目を実感できるようになる。クライアントデバイスベースのセンサを利用し、クライアントデバイスは、光フィルタリングを含む以前の及びアクティブな深度マッピングを利用して、スタイルがユーザーでどのように見えるのかの現実的なレンダリングを提供する。
【００４７】
一実施形態によれば、ユーザーは、このステップで、ユーザープロファイル作成時に示されたカラーパレット以外のカラーパレットが使用中であることを示してよいＳ５３２’。クライアントデバイスベースのソフトウェアは、相応して推奨された機会ベースの見た目を調整し、見た目の選択のためにそれらをユーザーに提示する。
【００４８】
所望のコーチングモジュールのユーザー選択に続いて、ユーザーは、クライアントデバイスベースのソフトウェアにより、クライアントデバイスを、メイクアップコンパクト内のクライアントデバイス筐体の中に水平に挿入し、半透明ディスプレイが見えるまで上蓋と保護カバーとを操作するように促される。クライアントデバイスベースのセンサ（例えば近接センサ）は、配置されると、メイクアップコンパクトに対するクライアントデバイスの場所を認識し、コーチングモジュールの教育ユニットを開始するＳ５３６。教育ユニットは、ビデオチュートリアル、テンプレート化された形状の投影、またはその組み合わせを含む場合があるが、これに限定されるものではない。次に、ユーザーにより制御された段階的なメイクアップ適用ステップがクライアントデバイスディスプレイから投影され、半透明ディスプレイを通して目に見えるＳ５３７。教育ユニットの第１のステップのビデオチュートリアルが表示される。ビデオチュートリアルに続いて、適切なテンプレート化された形状が、半透明ディスプレイの上に投影される。ユーザーが、クライアントデバイスディスプレイから投影されたテンプレート化された形状に従って各メイクアップ適用ステップを完了すると、ユーザーは、可聴コマンド、視覚コマンド、触覚コマンド、またはその組み合わせを介してクライアントデバイスベースのソフトウェアに多くのことを示す。教育ユニットを完了するために追加のステップが必要とされる場合（例えば、教育ユニットが複数の化粧品のメイクアップ適用を必要とする場合）Ｓ５３８、教育ユニットは、ビデオチュートリアルの次のステップと適切なテンプレート化された形状とを含む次のステップを開始する。追加のステップが必要とされない場合Ｓ５３８、現在の教育ユニットのメイクアップ適用は終了している。コーチングモジュールを完了するために追加の教育ユニットが必要とされる場合（例えば、コーチングモジュールが目のスタイルだけに比較して顔全体のスタイルである場合、またはコーチングモジュールが片目のスタイルだけと比較して両目のスタイルである場合）Ｓ５３８、コーチングモジュールは、次の教育ユニットを開始する。追加の教育ユニットが必要とされない場合Ｓ５３８、メイクアップ適用は終了しており、クライアントデバイスベースのソフトウェアはホームメニューに戻る。
【００４９】
一実施形態では、クライアントデバイスベースのソフトウェアは、クライアントデバイスベースのセンサからのデータを利用して、ユーザーのパフォーマンスを評価し、メイクアップ適用の改善のためにフィードバックを提供する。フィードバックは可聴フィードバック、視覚フィードバック、触覚フィードバック、またはその組み合わせであってよい。
【００５０】
一実施形態では、クライアントデバイスベースのソフトウェアは、ソーシャルメディアプラットフォームを含むサードパーティアプリケーションに接続され、ユーザーがソーシャルネットワークの中でスタイルまたは見た目を促進できるようにする。さらに、結果をソーシャルネットワークに公開することによって、クライアントデバイスベースのソフトウェアにより提供される技術的なフィードバックを超えたソーシャルフィードバックが可能になる。
【００５１】
一実施形態では、クライアントデバイスベースのソフトウェアは、ユーザーが関心がある将来のスタイル及び見た目を予測し、それらのスタイル及び見た目の実現に関係する製品を推奨してよい。
【００５２】
一実施形態によれば、コンパクトコーチは、半透明ディスプレイを含まず、ユーザーコマンド及びユーザープロンプトはクライアントデバイスディスプレイから直接的に提供される。
【００５３】
図６Ａは、例示的な実施形態による、コーチングセッションのオンボード部分の間のユーザー体験のフローチャートの図である。ユーザーがオンボード中６３０、クライアントデバイスベースのセンサは、ユーザーの顔の特徴、色、及び色調の３次元デジタル化を実行する６３１ために使用される。これを行うために、ユーザーは、クライアントデバイス、つまりスマートフォンを保持し、自分の顔に相対的な位置に移動させて６１５、３次元の顔の特徴、特に深度マッピングを完全に取り込むように指示される。クライアントデバイスソフトウェアは、次いで周囲の照明に従って画像及び色の投影を較正するために調整する。次に、ユーザーは、自宅で利用可能なカラーパレットを含むメイクアップコンパクトを選択し６１０、クライアントデバイスベースのソフトウェア内でこの情報を識別及び登録する。利用可能なメイクアップコンパクト及びカラーパレットのこの識別及び登録により、可能なスタイル及び見た目の範囲が定められる。ユーザーが各コーチングセッションで同じ化粧コンパクトとカラーパレットとを利用できる場合、化粧コンパクトとカラーパレットとが識別及び登録されるユーザープロファイルの作成は１回限りのイベントとなる。
【００５４】
ユーザープロファイルが作成され、メイクアップコンパクト及びカラーパレットが識別及び登録されると、毎日のトレーニングを開始してよい６３３。図６Ｂは、例示的な実施形態による、コーチングセッションのメイクアップ適用モジュール中のユーザー体験のフローチャートの図である。最初に、ユーザーは、現在利用可能なメイクアップコンパクト及びカラーパレットがユーザープロファイル作成中に識別及び登録されたものと同じであることを確認する６３２’。これが当てはまらない場合、新しいメイクアップコンパクト及びカラーパレットが識別及び登録されて、利用可能なスタイル及び技術をクライアントデバイスベースのソフトウェアに通知できる。次に、ユーザーは、所望のメイクアップスタイルまたは見た目を選択する６３４。例えば、これは今後のイベントまたは特定の機会に基づいてよい。クライアントデバイスベースのソフトウェアは、ユーザーを引き立たせる、機会に基づいたインスピレーションをインテリジェントに提供することもできる。
【００５５】
一実施形態では、クライアントデバイスベースのソフトウェアは、毎日のオフィス、初めてのデート、映画の夜、及び高級料理店を含むが、これに限定されるものではないさまざまなスタイルを提供してよい。機会ごとに、スタイルまたは見た目がユーザーに提供される。この目的のために、クライアントデバイスソフトウェアは、ユーザーのソーシャルメディアプレゼンスの中に示された好みに基づいて、ユーザーにとって関心のあるスタイルをよりうまく通知及び予測するために、ユーザーのユーザープロファイルと関連付けられたソーシャルメディアコンテンツを組み込んでもよい。
【００５６】
スタイル及び見た目の選択でユーザーを支援するために、拡張現実機能が、ユーザーが見た目を選択する前にスタイルを実感できるようにする。クライアントデバイスベースのセンサを利用し、クライアントデバイスは、光フィルタリングを含む以前の及びアクティブな深度マッピングを利用して、スタイルがユーザーでどのように見えるのかの現実的なレンダリングを提供する６３５。
【００５７】
所望のスタイルまたは見た目のユーザー選択に続いて、クライアントデバイスベースのソフトウェアは、ユーザーにクライアントデバイス筐体６３６の中にクライアントデバイスを挿入するように促す。ユーザーは保護カバーを持ち上げて回転させて、下に常駐する半透明ディスプレイを露出させる６３６’。クライアントデバイスは、次いでクライアントデバイス筐体の中に挿入され、配置され、半透明ディスプレイはユーザーとクライアントデバイスとの間にある６３６”。適切に位置付けられると、クライアントデバイスベースのセンサは、クライアントデバイスがメイクアップコンパクトと同じ場所にあることを認識し、教育ユニットを開始する。クライアントデバイスベースのソフトウェアは、次いで教育ユニットの第１のビデオチュートリアルを再生し、次いでクライアントデバイスディスプレイからテンプレート化された形状を投影し始める６３７。図６Ｂの白抜きのオブジェクトにより示されるこれらのテンプレート化された形状は、ユーザーの顔の特徴に合わせてカスタマイズされ、各形状が特定のメイクアップ化粧品に相当する「ペイントバイナンバー」方式と同様に提示される。ユーザーによる教育ユニットの各ステップの完了に続いて、ユーザーは、口頭コマンド、視覚コマンド、触覚コマンド、またはその組み合わせを介して、現在のステップが完了したことをクライアントデバイスベースのソフトウェアに示す。教育ユニットの追加のステップまたはコーチングモジュールの追加の教育ユニットが必要とされる場合、コーチングセッションは、以後のビデオチュートリアル及びテンプレート化された形状の初期化に進む。それ以外の場合、コーチングモジュール、及びその中の教育ユニットは完了し、ユーザーは、接続された環境における他のコーチングモジュールのスタイル及び見た目をお気に入りに登録し、共有し、詳しく調べるように勧められる。一実施形態では、ユーザーが技術に満足するまたは継続的なコーチング及び後の改善のために技術を保存することを望む場合、クライアントデバイスソフトウェアは、ユーザーがトレーニングを終了し、技術をお気に入りに登録できるようにする。一実施形態では、クライアントデバイスベースのソフトウェアは、ユーザーに、完了したばかりのコーチングモジュール及びユーザーのソーシャルメディアの好みに従って新しい技術を詳しく調べるよう勧める。さらに、ユーザーは、ソーシャルメディアプラットフォームで完成した見た目を共有してソーシャルフィードバックを得る、またはユーザーの能力及びパフォーマンスを改善するために追加の製品を購入するように勧められる場合がある。
【００５８】
一実施形態では、教育ユニット中、クライアントデバイスベースのセンサは、ユーザーのパフォーマンスをアクティブに監視し、出力測定基準を対応する技術の確立された基準に比較する。例えば、ユーザーが間違った化粧品を塗布していると判断される場合、クライアントデバイスは、可聴アラート、視覚アラート、触覚アラート、またはその組み合わせを介してユーザーにガイダンス及び励ましを提供してよい。ユーザーは、次に、アラートに応答し、技術が適切に実行されていることを理解しているという自信をもってメイクアップ適用を続行してよい。
【００５９】
図７は、例示的な実施形態による、クライアントデバイスと、外部サーバ及びインターネットを含むクラウドベースのコンピューティングシステムとの関係を示す。一実施形態では、図は、メイクアップ適用コーチングツールの例示的なシステム７００を含む。システム７００は、一実施形態に従って、少なくとも１つのクライアントデバイス７１５、つまりスマートフォンを含む。システム７００は、クラウドコンピューティング環境の一部として実装され、インターネット７４９を通してシステム７００と通信する１つ以上の外部サーバ７５０をさらに含んでよい。１つ以上の外部サーバ７５０は、メイクアップブランド、化粧用ブラシのタイプ、メイクアップコンパクトの使用法、及びカラーパレットに関係する製品データ、ならびにプロトコル及びルーチン、チュートリアル、及び他のサードパーティサービスを含むユーザーデータを統合して記憶できる。コーチングモジュールの完了に続いて、好ましいブランドからの利用可能な製品に関係する情報が、ユーザーインタフェースを介してユーザーに表示される場合がある。一実施形態では、クライアントデバイスベースのソフトウェアは、ユーザーのソーシャルメディアアカウント（例えば、Ｆａｃｅｂｏｏｋ、Ｔｗｉｔｔｅｒ、Ｓｎａｐｃｈａｔ、Ｉｎｓｔａｇｒａｍ）へのアクセスも提供し、そのためそれらがその新しいスタイルまたは見た目を共有する場合がある。
【００６０】
さらに、ユーザーインタフェースまたはクライアントデバイスは、メイクアップ適用の基本に関するチュートリアルを表示できる。ユーザーインタフェースは、生活規則または日課のためのプロトコルを作成し、ダウンロードすることができる。ユーザーインタフェースは、使用量を訓練し、追跡し、追跡した使用量をプロトコル、生活規則、及び日課と比較できる。ユーザーインタフェースは、追跡した使用量に基づいてスコアを計算できる。ユーザーインタフェースは、コーチングソフトウェアのスコアと追跡した使用量とをクライアントデバイスのメモリに記憶できる。さらに、ユーザーインタフェースは、色調の助言だけではなくクライアントデバイスベースのソフトウェア内で登録されたメイクアップ製品にも関係するあらゆる製品、製品ライン、ならびに現在のスタイル、見た目、または将来の実験的な技術に関係する他の製品を購入するために使用することもできる。
【００６１】
図８は、メイクアップコンパクトが、外出先での使用及び化粧直しを目的とした単一化粧品のメイクアップコンパクトである本開示の例示的な実施形態によるシステムの図である。図８は、タッチアップセッション８２６用の１つ以上の化粧品を含むコンパクトタッチアップキット８２５を示す。コンパクトタッチアップキット８２５は、コンパクトタッチアップコネクタ８２７を介してクライアントデバイス８１５に接続できる。クライアントデバイス８１５は、次いで使用中のコンパクトタッチアップキット８２５のタイプと、その中で利用可能な化粧品を認識できる。クライアントデバイスベースのソフトウェアは、上述のプロセスに従って付属のコンパクトタッチアップキット８２５のタイプに基づいてスタイル及び見た目を提案する場合もあれば、クライアントデバイスベースのソフトウェアの鏡のような使用により化粧直しを可能にする場合もある。メイクアップコンパクトのクライアントデバイスへのこのような電気接続は、参照により本明細書に援用されるＵＳ９６９２８６４  Ｂ１により証明されるように当該技術分野で理解されている。
【００６２】
一実施形態では、コンパクトタッチアップキット８２５は、半透明ディスプレイ及びクライアントデバイス筐体なしで使用される。クライアントデバイス８１５は、テンプレート化された形状のディスプレイとして利用される。
【００６３】
一実施形態では、コンパクトタッチアップキット８２５は、スタイルが選択され（例えば、ファンデーション）、クライアントデバイスベースのソフトウェアが、選択されたスタイルに適切なテンプレート化された形状を生成する限られたコーチングモジュール機能性と使用される。単一のスタイルのために生成されたテンプレート化された形状は、完全なコーチングセッションの教育ユニットと同様に応答し、ユーザーの移動に適応し、適切な場合フィードバックを提供する。
【００６４】
一実施形態では、メイクアップアプリケータ用の筐体は、コンパクトタッチアップキット８１５内に配置され、外出先でのメイクアップ適用のためのオールインワンシステムを作り出す。
【００６５】
明らかに、上記の教示に照らして多数の修正形態及び変形形態が可能である。したがって、添付の特許請求の範囲内で、本発明は、本明細書に具体的に記載されたのとは別の方法で実施され得る旨を理解されたい。
【００６６】
したがって、上述の議論は、単に本発明の例示的な実施形態を開示及び説明するにすぎない。当業者により理解されるように、本発明は、その趣旨または本質的特性から逸脱することなく、他の特定の形態で具現化され得る。したがって、本発明の開示は、例示を意図したものであり、本発明の範囲及び他の請求項を限定するものではない。本明細書の教示の任意の容易に識別可能な変形を含む本開示は、発明の主題が公に捧げられないように、上述の請求項の用語の範囲を部分的に定義する。
【図１】
2021509972.tif 000003
【図２Ａ】
2021509972.tif 000004
【図２Ｂ】
2021509972.tif 000005
【図２Ｃ】
2021509972.tif 000006
【図２Ｄ】
2021509972.tif 000007
【図３Ａ−３Ｂ】
2021509972.tif 000008
【図４Ａ】
2021509972.tif 000009
【図４Ｂ】
2021509972.tif 000010
【図４Ｃ】
2021509972.tif 000011
【図４Ｄ】
2021509972.tif 000012
【図４Ｅ】
2021509972.tif 000013
【図５】
2021509972.tif 000014
【図６Ａ】
2021509972.tif 000015
【図６Ｂ】
2021509972.tif 000016
【図７】
2021509972.tif 000017
【図８】
2021509972.tif 000018
【国際調査報告】
2021509972.tif 000019
2021509972.tif 000020